(57)【要約】  【課題】  ワンパーツでありながら容器から一度取り出して蓋体の内面に接触した内容物が容器内に戻るのを防止する。  【解決手段】  計量凹部２の反対側を中蓋部３で閉塞し、これら計量凹部２と中蓋部３との間に横方向へ貫通する流入口１を開穿することにより、全体が一体成形可能となると共に、容器Ｂを上下逆転しても、内容物Ｄの必要量だけが流入口１を通って計量凹部２へ取り出され、流入口１を通らなかった内容物Ｄは中蓋部３の内面に接触するだけで容器Ｂから出入りしない。  【選択図】      図１
2005280794.tif 000002
【特許請求の範囲】
【請求項１】
蓋体（Ｃ）で密閉される容器開口部（Ｂ１）に嵌入して保持され、容器（Ｂ）内と連通する流入口（１）と、この流入口（１）から取り出した内容物（Ｃ）を一時的に保持する計量凹部（２）とを備え、この計量凹部（２）の上面を蓋体（Ｃ）で着脱自在に閉鎖し、閉蓋状態で流入口（１）から内容物（Ｄ）を計量凹部（２）へ取り出し、開蓋状態で計量凹部（２）から所定量の内容物（Ｃ）を排出する容器用定量中栓において、
前記計量凹部（２）の反対側を中蓋部（３）で閉塞し、これら計量凹部（２）と中蓋部（３）との間に横方向へ貫通する流入口（１）を開穿したことを特徴とする容器用定量中栓。
【請求項２】
前記容器開口部（Ｂ１）の先端内縁に形成された面取り部（Ｂ２）と対向当接する面取り係止手段（４）を設け、この面取り係止手段（４）の下方に容器開口部（Ｂ１）の内周面（Ｂ３）と対向圧接する圧接手段（５）を設けた請求項１記載の容器用定量中栓。
【請求項３】
前記中蓋部（３）に少量の内容物（Ｄ）が通過する微調整用の通孔（６）を開穿した請求項１または２記載の容器用定量中栓。
【請求項４】
前記計量凹部（２）を変形してその容量を可変させる請求項１または２記載の容器用定量中栓。
【発明の詳細な説明】
【技術分野】
【０００１】
本発明は、例えばインスタントコーヒーや粉ミルクなどの粉状及び粒状又は顆粒状（粉粒状）の内容物を容器から定量ずつ取り出すための容器用定量中栓に関する。
詳しくは、蓋体で密閉される容器開口部に嵌入して保持され、容器内と連通する流入口と、この流入口から取り出した内容物を一時的に保持する計量凹部とを備え、この計量凹部の上面を蓋体で着脱自在に閉鎖し、閉蓋時に容器を上下逆転させることで流入口から内容物を計量凹部へ取り出し、蓋体を外し容器を傾けることで計量凹部から所定量の内容物を排出する容器用定量中栓に関する。
【背景技術】
【０００２】
従来、この種の容器用定量中栓として、容器開口部（口元部）と嵌合するように円筒状に形成され、この円筒部の底側一部に流入口（開口部）を開設し、この流入口と仕切壁（縁部）を挟んで反対側に計量凹部（容器部）が形成され、上記円筒部の上端外周縁に鍔部（フランジ）を突設した場合には、この鍔部を容器開口部の先端面の上に置き、その上から蓋体（蓋）を圧接させることで密閉保持し、鍔部を突設しない場合には、円筒部の外周面を単に容器開口部の内周面に圧接させて保持し、閉蓋状態で容器を上下逆転させることにより、流入口から内容物を計量凹部へ取り出し、開蓋状態で容器を傾けることにより、計量凹部から所定量の内容物を排出するものがある（例えば、特許文献１参照）。
また、計量部（誘導筺、計量室）に連通する排出口（抽出口、排出口）以外の部分を蓋板（蓋体、天蓋）で常時閉鎖し、この蓋板の外周縁に鍔部を突設して、容器開口部の先端面と当接係合させたものもある（例えば、特許文献２，３参照）。
【０００３】
【特許文献１】実開昭５７−７７１７７号公報（第２−４頁、第１図−第５図）
【特許文献２】実開昭５６−１０３４４９号公報（第２−４頁、第１図−第９図）
【特許文献３】実公平４−１０９３号公報（第２−３頁、第１図−第４図）
【発明の開示】
【発明が解決しようとする課題】
【０００４】
しかし乍ら、このような従来の容器用定量中栓では、特許文献１の場合、流入口が蓋体に向けて開口するため、閉蓋状態で容器を上下逆転する度に、流入口を通って必要量以上の内容物が出て蓋体の内面全体に接触し、その後の容器の逆転操作に伴って、蓋体の内面に接触した内容物が再び容器内に戻ってしまう。
開封前における蓋体の内面は衛生的に保たれているが、開封後における蓋体の内面は例えばチリやホコリなどが付着する恐れがあって必ずしも衛生的とは言えず、このような蓋体の内面全体に接触した多量の内容物が、容器の逆転を繰り返す度に容器内に戻されると、内容物と一緒にチリやホコリが容器内に入り込み、これらチリやホコリに付着した雑菌が繁殖する恐れもあり、特に内容物が食品の場合には好ましくないという問題があった。
この点に関し、特許文献２，３の場合には、蓋板で常時仕切られるため、着脱自在な蓋体の内面に内容物が接触することを防げるが、ワンパーツで成形することが困難で部品点数も増えることから、生産性に劣り製造コストが高くなるという問題があった。
ところで、現在販売されているインスタントコーヒーの容器には、蓋体を被せた状態で、この蓋体の内面に固着された弾性シートを、容器開口部の平坦な先端面に圧接させることにより、これら両者間を密閉してインスタントコーヒーの風味が長期間に亘って低下しないように保持させる構造のものがある。
しかし、特許文献１〜３では、以下の理由により、現在販売されている蓋体の弾性シートと容器開口部の先端面との圧接により密閉する構造の容器に対して、そのまま使用することはできなかった。
即ち、弾性シートとの圧接で密閉される容器開口部に対して、外周縁に鍔部が突設された容器用定量中栓を嵌入すると、この鍔部が蓋体の弾性シートと容器開口部の先端面との間に挟み込まれるため、この鍔部の厚さ寸法分だけ、蓋体が容器開口部の先端面から浮き上がってしまい、それが原因で蓋体を確実に取り付けられない場合や弾性シートを必要以上に圧縮変形させたために密閉機能が低下するという問題があった。
また、弾性シートとの圧接で密閉される容器開口部に対して、鍔部が突設されない容器用定量中栓を嵌入すると、円筒部の外周面を単に容器開口部の内周面に圧接させただけで保持するため、開蓋状態で例えば指などが容器用定量中栓に触れて容器の内方へ押し込むと、そのまま容器内へ落下して取り出し不能になるという問題があった。
更に、内容物が特にインスタントコーヒーのような場合には、使用者によって好みの濃さが異なると共に、使用するカップの大きさも例えばマグカップのような大きなものから紙コップのような小さいものまで多種類あり、それに応じてインスタントコーヒーの取り出し量も変える必要がある。
しかし、特許文献１〜３で計量される内容物の容量は一定であるため、使用者の好みに応じた分量の内容物を容易に排出できないという問題もあった。
【０００５】
本発明のうち請求項１記載の発明は、ワンパーツでありながら容器から一度取り出して蓋体の内面に接触した内容物が容器内に戻るのを防止することを目的としたものである。
請求項２記載の発明は、請求項１に記載の発明の目的に加えて、蓋体と容器開口部の先端面との間に何も挟み込むことなく容器内外への落下を防止することを目的としたものである。
請求項３記載の発明は、請求項１または２に記載の発明の目的に加えて、使用者の好みに応じて内容物の取り出し量を微調整することを目的としたものである。
請求項４記載の発明は、請求項１または２に記載の発明の目的に加えて、使用者の好みに応じて内容物の取り出し量を微調整することを目的としたものである。
【課題を解決するための手段】
【０００６】
前述した目的を達成するために、本発明のうち請求項１記載の発明は、計量凹部の反対側を中蓋部で閉塞し、これら計量凹部と中蓋部との間に横方向へ貫通する流入口を開穿したことを特徴とするものである。
請求項２記載の発明は、請求項１記載の発明の構成に、前記容器開口部の先端内縁に形成された面取り部と対向当接する面取り係止手段を設け、この面取り係止手段の下方に容器開口部の内周面と対向圧接する圧接手段を設けた構成を加えたことを特徴とする。
請求項３記載の発明は、請求項１または２記載の発明の構成に、前記中蓋部に少量の内容物が通過する微調整用の通孔を開穿した構成を加えたことを特徴とする。
請求項４記載の発明は、請求項１または２記載の発明の構成に、前記計量凹部を変形してその容量を可変させる構成を加えたことを特徴とする。
【発明の効果】
【０００７】
本発明のうち請求項１記載の発明は、計量凹部の反対側を中蓋部で閉塞し、これら計量凹部と中蓋部との間に横方向へ貫通する流入口を開穿することにより、全体が一体成形可能となると共に、容器を上下逆転しても、内容物の必要量だけが流入口を通って計量凹部へ取り出され、流入口を通らなかった内容物は中蓋部の内面に接触するだけで容器から出入りしない。
従って、ワンパーツでありながら容器から一度取り出して蓋体の内面に接触した内容物が容器内に戻るのを防止できる。
その結果、蓋体の内面全体に接触した多量の内容物が容器の逆転を繰り返す度に容器内に戻される従来のものに比べ、蓋体の内面に付着した例えばチリやホコリ又は雑菌などが容器内に入り込む恐れが無くて衛生的であり、特に内容物が食品である場合に最適であると共に、ワンパーツで成形することが困難で部品点数が増える従来のものに比べ、生産性に優れて製造コストの低減が図れる。
【０００８】
請求項２の発明は、請求項１の発明の効果に加えて、容器開口部の先端内縁に形成された面取り部の上方から面取り係止手段を当接して相互に係合させることにより、容器用定量中栓が容器Ｂ内方へ移動不能に係止され、この係止部の下方に設けられた圧接手段を、容器開口部の内周面に圧接して係止させることにより、開蓋状態で容器を傾けても容器用定量中栓が容器外方へ移動不能に保持される。
従って、蓋体と容器開口部の先端面との間に何も挟み込むことなく容器内外への落下を防止できる。
その結果、現在販売されている蓋体の弾性シートと容器開口部の先端面との圧接により密閉する構造を改造せずにそのまま使用できる。
よって、現在販売中の例えばインスタントコーヒーなどの販売促進用景品として最適である。
【０００９】
請求項３の発明は、請求項１または２の発明の効果に加えて、計量凹部と反対側に開穿した微調整用の通孔を下方へ向けて傾けることにより、微調整用の通孔から少量の内容物が通過して取り出される。
従って、使用者の好みに応じて内容物の取り出し量を微調整することができる。
【００１０】
請求項４の発明は、請求項１または２の発明の効果に加えて、計量凹部を変形してその容量を可変させることにより、予め計量凹部の容量を可変すれば、毎回の取り出し量が一度に調整される。
従って、使用者の好みに応じて内容物の取り出し量を微調整することができる。
【発明を実施するための最良の形態】
【００１１】
本発明の容器用定量中栓Ａは、図１〜図５に示す如く、着脱自在な蓋体Ｃで密閉される容器Ｂの開口部Ｂ１と嵌合する本体を有し、この本体の一半部に、容器Ｂ内と流入口１を介して連通する計量凹部２を凹設し、この計量凹部２の反対側に位置する他半部を中蓋部３で閉塞している。
【００１２】
この容器用定量中栓Ａの本体は、例えばポリエチレンやポリプロピレンなどの熱可塑性樹脂を射出成形などのプラスチック成形法にて略円板状か又は略多角形などの板状に成形したものであり、上述したように計量凹部２と中蓋部３とを隣り合わせて配置すると共に、これら両者間に亘って横方向へ貫通する流入口１を開穿することにより、全体が一体成形されてワンパーツとなるようにしている。
【００１３】
この計量凹部２は、その上面が常時開口した略すり鉢状に成形され、この略すり鉢状の底面には、流入口１側から上記中蓋部３と反対側の外周縁へ向けて上り傾斜する傾斜面２ａを形成している。
【００１４】
これら計量凹部２と流入口１との境目近くには、仕切壁２ｂを突出形成して、流入口１から傾斜面２ａへ移動した内容物Ｄが容器Ｂ内方へ戻るのを防止すると共に、この仕切壁２ｂの上端から容器Ｂ内へ向けて突出する邪魔板２ｃを下り傾斜状に形成することにより、流入口１の開口面積を広く保ちながら、開蓋状態で容器Ｂを傾けた際に容器Ｂ内の内容物Ｄが流入口１を通って傾斜面２ａへ排出されるのを防止している。
【００１５】
更に、容器用定量中栓Ａの本体の外周縁には、上記容器開口部Ｂ１の先端内縁に形成された面取り部Ｂ２と対向当接する面取り係止手段４を突設し、この面取り係止手段４の下方には、容器開口部Ｂ１の内周面Ｂ３と対向圧接する圧接手段５を設けている。
以下、本発明の各実施例を図面に基づいて説明する。
【実施例１】
【００１６】
この実施例１は、図１〜図３に示す如く、前記流入口１を左右側方へ横長状に開穿すると共に、上記面取り係止手段４として、上記容器開口部Ｂ１の面取り部Ｂ２のみと係合する段部を全周に亘って突設し、この面取り係止手段４の下方に連続する圧接手段５として、複数の脚部を周方向へ等間隔毎に突設し、上記中蓋部３には、少量の内容物Ｄが通過する微調整用の通孔６を開穿したものである。
【００１７】
この通孔６の形状及び大きさは、図示例に限定されず、開蓋状態で微調整用の通孔６を下方へ向けて容器Ｂを傾けた際に、内容物Ｄが大量に通過しなければ、図示例以外の形状や大きさでも良い。
【００１８】
また、上記容器Ｂは、例えばインスタントコーヒーや粉ミルクなどの粉粒状の内容物Ｃが収容されたガラス瓶や合成樹脂製瓶などであり、図面では、内容物Ｃとして粒状のインスタントコーヒーが入ったガラス瓶の例を示している。
【００１９】
この図示例の場合、容器Ｂの開口部Ｂ１を密閉する蓋体Ｃの内面には、該容器開口部Ｂ１の平坦な先端面Ｂ４と対向当接する弾性シートＣ１が固着され、容器Ｂとの間に形成したロック手段Ｃ２にて蓋体Ｃを被せた閉蓋状態で、該弾性シートＣ１を容器開口部Ｂ１の平坦な先端面Ｂ４に圧接させることにより、これら両者間を密閉してインスタントコーヒーの風味が長期間に亘って低下しないように保持している。
【００２０】
次に、斯かる容器用定量中栓Ａの使用方法及び作用効果について説明する。
先ず、図３（ａ）に示す如く、閉蓋状態で容器Ｂ全体を上下逆転すれば、流入口１から内容物Ｄが計量凹部２へ取り出される。
【００２１】
その後、容器Ｂ全体を上下逆転して戻せば、図１に示す如く、計量凹部２の上に計量された内容物Ｄ１のみが残り、流入口１を通過しなかった他の内容物Ｄはそのまま落下する。
【００２２】
この状態で蓋体Ｃを外してから、図３（ｂ）に示す如く、計量凹部２が下方へ向くように容器Ｂを傾ければ、計量凹部２上の計量された内容物Ｄ１がカップ（図示せず）に排出される。
【００２３】
その後、カップに排出された内容物Ｄの分量が不足する場合には、図３（ｃ）に示す如く、容器Ｂを周方向へ回転して微調整用の通孔６が下方へ向くように容器Ｂを傾ければ、この微調整用の通孔６から少量の内容物Ｄが取り出される。
それにより、使用者の好みに応じて簡単な構造で内容物Ｄの取り出し量を微調整できる。
【００２４】
従って、この容器用定量中栓Ａは、容器Ｂを上下逆転しても、内容物Ｄの必要量だけが流入口１を通って計量凹部２へ取り出され、流入口１を通らなかった内容物Ｄは、例えばチリやホコリ又は雑菌などが付着する可能性の極めて少ない中蓋部３の内面に接触するだけで容器Ｂから出入りしない。
【００２５】
また、容器Ｂに対する容器用定量中栓Ａの嵌入時において、容器開口部Ｂ１の面取り部Ｂ２の上方から面取り係止手段４を当接して相互に係合させたため、容器用定量中栓Ａが容器内方へ移動不能に係止されると共に、圧接手段５を容器開口部Ｂ１の内周面Ｂ３に圧接して係止させたため、開蓋状態で容器Ｂを傾けても容器用定量中栓Ａが容器外方へ移動不能に保持される。
【００２６】
それにより、蓋体Ｃの内面に固着された弾性シートＣ１と容器開口部Ｂ１の平坦な先端面Ｂ４との間に何も挟み込むことなく容器用定量中栓Ａが容器Ｂ内外への落下を防止でき、蓋体Ｃの弾性シートＣ１と容器開口部Ｂ１の先端面Ｂ４との圧接により密閉する構造を改造せずに容器用定量中栓Ａを嵌入して利用できる。
【実施例２】
【００２７】
この実施例２は、図４に示す如く、前記圧接手段５として、下方へ徐々に縮径されるテーパー状の円筒部を突設した構成が、前記図１〜図３に示した実施例１とは異なり、それ以外の構成は図１〜図３に示した実施例１と同じものである。
【００２８】
図示例では、圧接手段５のテーパー状円筒部と、面取り係止手段４の段部とを別々に形成した場合を示しているが、これに限定されず、圧接手段５のテーパー状円筒部を上方に延長してその上端部分に面取り係止手段４を一体形成しても良い。
【００２９】
更に、図示せぬが圧接手段５のテーパー状円筒部の外周面に、弾性変形可能な突起を周方向へ等間隔毎に複数突設して、容器用定量中栓Ａを容器開口部Ｂ１に嵌入した際に各突起が該容器開口部Ｂ１の内周面Ｂ３に圧接して弾性変形するようにしても良い。
【００３０】
従って、図４に示すものは、各容器Ｂの開口部Ｂ１の内径に若干の寸法誤差があったとしても、前記図１〜図３に示した実施例１より調整量が増大して、圧接手段５を容器開口部Ｂ１の内周面Ｂ３に確実に圧接させて係止できるという利点がある。
【実施例３】
【００３１】
この実施例３は、図５に示す如く、前記微調整用の通孔６に代えて計量凹部２を変形することによりその容量を可変させた構成が、前記図１〜図３に示した実施例１とは異なり、それ以外の構成は図１〜図３に示した実施例１と同じものである。
【００３２】
図示例の場合には、容器用定量中栓Ａの本体を例えばポリプロピレンなどの軟質合成樹脂で成形して計量凹部２の傾斜面２ａを変形可能にしたが、これに限定されず、計量凹部２の全体か又は一部の肉厚を薄くして変形可能にするなど、他の手法により変化形可能にしても良い。
【００３３】
従って、図５に示すものは、予め指などにより計量凹部２を変形させてその容量を可変すれば、内容物Ｄの取り出し量が調整され、排出する度に使用者の好みに応じて内容物Ｄの取り出し量を微調整する必要がある前記図１〜図３に示した実施例１よりも手間を省けて便利であるという利点がある。
【００３４】
尚、前示実施例に限定されず、上述した容器開口部Ｂ１の内周面Ｂ３に圧接手段５を圧接させて容器Ｂ外方へ容器用定量中栓Ａを抜け止めする構造に代えるか又は追加して、容器開口部Ｂ１の内周面Ｂ３の下方に連続する大径な胴部内周面Ｂ５まで届く係止脚部（図示せず）を突設したり、容器開口部Ｂ１の内周面Ｂ３にＬ字形係止部（図示せず）と、これに対向して容器用定量中栓Ａの本体外周面に形成された凸部又は凹部（図示せず）とを、容器開口部Ｂ１内に嵌入した容器用定量中栓Ａの回転により係合させることで、容器Ｂ内外への落下を防止しても良い。
【００３５】
更に、前述した流入口１、計量凹部２、中蓋部３、面取り係止手段４及び圧接手段５の形状と、容器Ｂや蓋体Ｃ及び両者間のロック手段Ｃ２の形状や構造は、図示例に限定されず、図示例以外の形状や構造であっても良い。
【図面の簡単な説明】
【００３６】
【図１】本発明の一実施例を示す容器用定量中栓の縦断正面図であり、要部を部分拡大して示している。
【図２】容器用定量中栓のみの斜視図である。
【図３】（ａ）〜（ｃ）が使用状態を示す説明図である。
【図４】本発明の他の実施例を示す容器用定量中栓のみの斜視図である。
【図５】本発明の他の実施例を示す容器用定量中栓の縦断正面図である。
【符号の説明】
【００３７】
Ａ  容器用定量中栓                １  流入口
２  計量凹部                      ２ａ  傾斜面
２ｂ  仕切壁                      ２ｃ  邪魔板
３  中蓋部                        ４  面取り係止手段
５  圧接手段                      ６  微調整用の通孔
Ｂ  容器                          Ｂ１  容器開口部
Ｂ２  面取り部                    Ｂ３  内周面
Ｂ４  平坦な先端面                Ｂ５  胴部内周面
Ｃ  蓋体                          Ｃ１  弾性シート
Ｃ２  ロック手段                  Ｄ  内容物
Ｄ１  計量された内容物
【図１】
2005280794.tif 000003
【図２】
2005280794.tif 000004
【図３】
2005280794.tif 000005
【図４】
2005280794.tif 000006
【図５】
2005280794.tif 000007